【手続補正書】
【提出日】平成17年11月18日(2005.11.18)
【手続補正１】
【補正対象書類名】明細書
【補正対象項目名】発明の名称
【補正方法】変更
【補正の内容】
【発明の名称】デジタルカメラ及びその制御方法と画像再生装置
【手続補正２】
【補正対象書類名】明細書
【補正対象項目名】特許請求の範囲
【補正方法】変更
【補正の内容】
【特許請求の範囲】
【請求項１】
撮影した画像をプリントするために、直接プリンタと通信可能なデジタルカメラであって、
撮像手段と、
前記撮像手段で撮像された画像データが記憶されているメモリから所望の画像データを読み出す再生手段と、
前記再生手段により読み出された画像データを前記プリンタに伝送する伝送手段と、
使用者による操作に応じて、指示入力を入力するための操作手段と、
前記プリンタが前記伝送手段により伝送された画像データをプリント中の場合、前記操作手段からの所定の指示入力を無効にするための制御を行う指示入力制御手段と、
を有することを特徴とするデジタルカメラ。
【請求項２】
前記指示入力制御手段は、前記所定の指示入力を無効にするとともに、前記所定の指示入力が無効であることを伝えるための表示を行うことを特徴とする請求項１に記載のデジタルカメラ。
【請求項３】
前記操作手段からのプリント指示又は画像データ伝送指示の入力に応じて、前記指示入力制御手段は、前記所定の指示入力を無効にするための制御を開始することを特徴とする請求項１又は２に記載のデジタルカメラ。
【請求項４】
前記指示入力制御手段によって無効にされる前記所定の指示入力を検知する検知手段を更に有し、前記検知手段により前記所定の指示入力が検知された場合に前記指示入力制御手段が警告表示を行うことを特徴とする請求項１乃至３のいずれか１項に記載のデジタルカメラ。
【請求項５】
前記プリンタからプリント終了情報を受信する受信手段を更に有し、前記指示入力制御手段は、前記プリント終了情報の受信に応じて、前記所定の指示入力を無効にするための制御を解除することを特徴とする請求項１乃至４のいずれか１項に記載のデジタルカメラ。
【請求項６】
前記指示入力制御手段によって無効にされる前記所定の指示入力は、メモリの内容が書き換えられる処理に関する指示入力であることを特徴とする請求項１乃至５のいずれか１項に記載のデジタルカメラ。
【請求項７】
前記指示入力制御手段によって無効にされる前記所定の指示入力は、モード切り換えのための指示入力であることを特徴とする請求項１乃至５のいずれか１項に記載のデジタルカメラ。
【請求項８】
前記指示入力制御手段によって無効にされる前記所定の指示入力は、前記撮像手段によって撮像を行うための指示入力であることを特徴とする請求項１乃至５のいずれか１項に記載のデジタルカメラ。
【請求項９】
前記指示入力制御手段によって無効にされる前記所定の指示入力は、前記再生手段によって前記メモリから所望の画像データを読み出すための指示入力であることを特徴とする請求項１乃至５のいずれか１項に記載のデジタルカメラ。
【請求項１０】
前記操作手段は、撮像のために用いられる操作手段であることを特徴とする請求項９に記載のデジタルカメラ。
【請求項１１】
前記所定の指示入力は、プリントの中断のための指示入力を含まないことを特徴とする請求項１乃至１０のいずれか１項に記載のデジタルカメラ。
【請求項１２】
撮影した画像をプリントするために、直接プリンタと通信可能なデジタルカメラであって、
撮像手段と、
前記撮像手段で撮像された画像データが記憶されているメモリから所望の画像データを読み出す再生手段と、
前記再生手段により読み出された画像データを前記プリンタに伝送する伝送手段と、
使用者による操作に応じて、指示入力を入力するための操作手段と、
前記伝送手段により画像データを伝送している場合、前記操作手段による、前記撮像手段を使用した撮像に関する指示入力又は前記メモリから所望の画像データを読み出す再生に関する指示入力を無効にするための制御を行う指示入力制御手段と、
を有することを特徴とするデジタルカメラ。
【請求項１３】
撮影した画像データを印刷するために、直接プリンタと通信可能なデジタルカメラの制御方法であって、
撮像された画像データが記憶されているメモリから所望の画像データを読み出す再生工程と、
前記再生工程で読み出された画像データを前記プリンタに伝送する伝送工程と、
前記プリンタが前記伝送工程で伝送された画像データをプリント中である場合、所定の指示入力を無効にするための制御を行う指示入力制御工程と、
を有することを特徴とするデジタルカメラの制御方法。
【請求項１４】
前記指示入力制御工程では、前記所定の指示入力を無効にするとともに、前記所定の指示入力が無効であることを伝えるための表示を行うことを特徴とする請求項１３に記載のデジタルカメラの制御方法。
【請求項１５】
前記指示入力制御工程は、前記デジタルカメラの操作手段からのプリント指示又は画像データ伝送指示の入力に応じて、前記所定の指示入力を無効にするための制御を開始することを特徴とする請求項１３又は１４に記載のデジタルカメラの制御方法。
【請求項１６】
前記所定の指示入力を検知する検知工程と、
前記検知工程で前記所定の指示入力を検知した場合に警告表示を行う警告表示工程とを更に有することを特徴とする請求項１３乃至１５のいずれか１項に記載のデジタルカメラの制御方法。
【請求項１７】
撮影した画像をプリントするために、直接プリンタと通信可能なデジタルカメラの制御方法であって、
撮影された画像データが記憶されているメモリから所望の画像データを読み出す再生工程と、
前記再生工程で読み出された画像データを前記プリンタに伝送する伝送工程と、
前記伝送工程で画像データを伝送中の場合、撮影に関する指示入力又は前記メモリから所望の画像データを読み出す再生に関する指示入力を無効にするための制御を行う指示入力制御工程と、
を有することを特徴とするデジタルカメラの制御方法。
【請求項１８】
画像をプリントするために、直接プリンタと通信可能な画像再生装置であって、
画像データが記憶されているメモリから所望の画像データを読み出す再生手段と、
前記再生手段により読み出された画像データを前記プリンタに伝送する伝送手段と、
使用者による操作に応じて、指示入力を入力するための操作手段と、
前記プリンタが前記伝送手段により伝送された画像データをプリント中の場合、前記操作手段からの所定の指示の入力を無効にするための制御を行う指示入力制御手段と、を有することを特徴とする画像再生装置。
【請求項１９】
前記指示入力制御手段は、前記所定の指示入力を無効にするとともに、前記所定の指示入力が無効であることを伝えるための表示を行うことを特徴とする請求項１８に記載の画像再生装置。
【請求項２０】
前記指示入力制御手段によって無効にされる前記所定の指示入力を検知する検知手段を更に有し、前記指示入力制御手段は、前記検知手段により前記所定の指示入力が検知された場合に警告表示を行うことを特徴とする請求項１８又は１９に記載の画像再生装置。
【手続補正３】
【補正対象書類名】明細書
【補正対象項目名】０００１
【補正方法】変更
【補正の内容】
【０００１】
本発明は、撮影した画像をプリントするために、直接プリンタと通信可能なデジタルカメラ及びその制御方法と、ＶＴＲ等の画像再生装置に関するものである。
【手続補正４】
【補正対象書類名】明細書
【補正対象項目名】００１３
【補正方法】変更
【補正の内容】
【００１３】
本発明は上記従来例に鑑みてなされたもので、プリンタとの間で直接データのやり取りを行うことができるデジタルカメラ及びその制御方法と画像再生装置を提供することを目的とする。
【手続補正５】
【補正対象書類名】明細書
【補正対象項目名】００１４
【補正方法】変更
【補正の内容】
【００１４】
また本発明の目的は、プリンタがプリント中、デジタルカメラ或は画像再生装置における所定の指示入力を無効にすることにより、プリンタがプリント動作中における不具合の発生を防止したデジタルカメラ及びその制御方法と画像再生装置を提供することにある。
【手続補正６】
【補正対象書類名】明細書
【補正対象項目名】００１５
【補正方法】変更
【補正の内容】
【００１５】
また本発明の目的は、デジタルカメラからプリンタに画像データを伝送中、そのデジタルカメラにおける所定の指示入力を無効にすることにより、データ伝送中における不具合の発生を防止したデジタルカメラ及びその制御方法を提供することにある。
【手続補正７】
【補正対象書類名】明細書
【補正対象項目名】００１６
【補正方法】変更
【補正の内容】
【００１６】
【課題を解決するための手段】
上記目的を達成するために本発明のデジタルカメラは以下のような構成を備える。即ち、
撮影した画像をプリントするために、直接プリンタと通信可能なデジタルカメラであって、
撮像手段と、
前記撮像手段で撮像された画像データが記憶されているメモリから所望の画像データを読み出す再生手段と、
前記再生手段により読み出された画像データを前記プリンタに伝送する伝送手段と、
使用者による操作に応じて、指示入力を入力するための操作手段と、
前記プリンタが前記伝送手段により伝送された画像データをプリント中の場合、前記操作手段からの所定の指示入力を無効にするための制御を行う指示入力制御手段と、
を有することを特徴とする。
【手続補正８】
【補正対象書類名】明細書
【補正対象項目名】００１７
【補正方法】変更
【補正の内容】
【００１７】
また上記目的を達成するために本発明のデジタルカメラの制御方法は以下のような工程を備える。即ち、
撮影した画像データを印刷するために、直接プリンタと通信可能なデジタルカメラの制御方法であって、
撮像された画像データが記憶されているメモリから所望の画像データを読み出す再生工程と、
前記再生工程で読み出された画像データを前記プリンタに伝送する伝送工程と、
前記プリンタが前記伝送工程で伝送された画像データをプリント中である場合、所定の指示入力を無効にするための制御を行う指示入力制御工程と、
を有することを特徴とする。
【手続補正９】
【補正対象書類名】明細書
【補正対象項目名】００１８
【補正方法】変更
【補正の内容】
【００１８】
また上記目的を達成するために本発明の画像再生装置は以下のような構成を備える。即ち、
画像をプリントするために、直接プリンタと通信可能な画像再生装置であって、
画像データが記憶されているメモリから所望の画像データを読み出す再生手段と、
前記再生手段により読み出された画像データを前記プリンタに伝送する伝送手段と、
使用者による操作に応じて、指示入力を入力するための操作手段と、
前記プリンタが前記伝送手段により伝送された画像データをプリント中の場合、前記操作手段からの所定の指示の入力を無効にするための制御を行う指示入力制御手段と、を有することを特徴とする。
【手続補正１０】
【補正対象書類名】明細書
【補正対象項目名】０１７９
【補正方法】変更
【補正の内容】
【０１７９】
【発明の効果】
以上説明したように本発明によれば、プリンタとの間で直接データのやり取りを行うことができるデジタルカメラ及びその制御方法と画像再生装置を提供できる。
【手続補正１１】
【補正対象書類名】明細書
【補正対象項目名】０１８０
【補正方法】変更
【補正の内容】
【０１８０】
また本発明によれば、プリンタがプリント中、デジタルカメラ或は画像再生装置における所定の指示入力を無効にすることにより、プリンタがプリント動作中における不具合の発生を防止できるという効果がある。
【手続補正１２】
【補正対象書類名】明細書
【補正対象項目名】０１８１
【補正方法】変更
【補正の内容】
【０１８１】
また本発明によれば、デジタルカメラからプリンタに画像データを伝送中、そのデジタルカメラにおける所定の指示入力を無効にすることにより、データ伝送中における不具合の発生を防止できる。